(57)【特許請求の範囲】
【請求項１】
複数の端末と各端末を一元的に管理する上位機とをデータ通信可能に接続してなる商品販売データ処理装置において、
コンピュータからなる前記上位機内の記憶手段に商品販売データ処理に関する教育用プログラムおよびそのデータベースが記憶されるとともに、記憶手段内でかつ教育用プログラムを実行した場合に影響を受けない記憶エリアに実際用の商品販売データ処理プログラムおよびそのデータベースが圧縮状態で記憶され、教育用プログラムおよびそのデータベースを削除した後に商品販売データ処理プログラムおよびそのデータベースをその圧縮状態を解きつつ記憶手段の削除前に教育用プログラムおよびそのデータベースが記憶されていた記憶エリアに復元記憶可能に形成した商品販売データ処理装置。
【請求項２】
前記商品販売データ処理プログラムの一部が前記教育用プログラムの一部を兼用可能に形成されている請求項１記載の商品販売データ処理装置。
【請求項３】
前記圧縮状態の商品販売データ処理プログラムおよびそのデータベースには前記端末用の商品販売データ処理プログラムおよびそのデータベースが含まれるものとされかつ前記上位機の前記復元記憶後に端末用の商品販売データ処理プログラムおよびそのデータベースを各端末にダウンロード可能に形成されている請求項１または請求項２記載の商品販売データ処理装置。
【請求項４】
データ通信可能に接続された複数の端末と上位機との間で商品販売データ処理を行う商品販売データ処理プログラムの切替え方法であって、記憶手段内の第１記憶エリアに商品販売データ処理に関する教育用プログラムおよびそのデータベースを記憶させておきかつ第２記憶エリアに実際用の商品販売データ処理プログラムおよびそのデータベースを圧縮状態で記憶させておき、第２記憶エリアに影響を与えないでかつ教育用プログラムおよびそのデータベースを起動して教育用商品販売データ処理を実行した後に、教育用プログラムおよびそのデータベースを削除し、しかる後に実際用の商品販売データ処理プログラムおよびそのデータベースの圧縮状態を解いて第１の記憶エリアに復元記憶してプログラムを切替える商品販売データ処理プログラムの切替え方法。
【請求項５】
データ通信可能に接続された複数の端末と上位機との間で商品販売データ処理を行う商品販売データ処理プログラムの切替えプログラムを記憶したコンピュータで読取可能な記憶媒体であって、前記切替えプログラムがコンピュータに、記憶手段内の第１記憶エリアに記憶されている前記商品販売データ処理に関する教育用プログラムおよびそのデータベースをその実行後の指令に基き削除させるとともに、記憶手段内の第２記憶エリアに圧縮状態で記憶されている実際用の商品販売データ処理プログラムおよびそのデータベースの圧縮状態を解きつつ第１の記憶エリアに復元記憶させるものとされている商品販売データ処理プログラムの切替えプログラムを記憶したコンピュータで読取可能な記憶媒体。
【発明の詳細な説明】
【０００１】
【発明の属する技術分野】
本発明は、複数の端末と各端末を一元的に管理する上位機とをデータ通信可能に接続してなる商品販売データ処理装置と，教育用と実際用の商品販売データ処理プログラムの切替え方法と，その商品販売データ処理プログラムの切替えプログラムを格納させたコンピュータで読取可能な記憶媒体に関する。
【０００２】
【従来の技術】
図４において、商品登録，会計処理等を含む商品販売データ処理方法を実行するための商品販売データ処理装置は、複数の端末（例えば、電子キャッシュレジスタ）１０と，これらとデータ通信回線（例えば、ＬＡＮ）１を介して接続されかつそれらを一元的に管理する上位機（例えば、ストアコントローラと称される。）３０とからなる。さらに、この上位機３０を、例えばチェーンストア本部内のホストコンピュータ５０にデータ通信回線（例えば、ＩＳＤＮ）２を介して接続する場合も多い。
【０００３】
かかる装置では、例えば、上位機３０から各端末１０へ各種のプログラムやデータをダウンロード（ＤＬＬ）する。各端末１０は、データ入出力手段を利用しつつ商品登録を行い、さらに釣銭額の算出等を含みかつ金銭授受を伴う会計処理を行う。構築次第では、売上データをその都度にトランザクションデータとして上位機３０へ転送する。
【０００４】
上位機３０は、各端末１０から精算済売上データを収集して各種の経営判断資料を作成し、ホストコンピュータ５０との間でデータ処理する。さらには各端末１０からの要求に対して図示しないクレジット会社へ照会等する。
【０００５】
各機１０，３０，５０は、当然にインストールされた各商品販売データ処理プログラム（ＰＲＧ）およびデータベース（ＤＢ）に基き運用される。最下位の端末１０用の商品販売データ処理プログラムに比較して、その上位機３０用の商品販売データ処理プログラムの方がより複雑で専門性も高くデータ量も大きい。
【０００６】
したがって、上位機３０の運用上の取扱いは、各端末１０の運用上の取扱いよりも難度が高くかつ経営的データも多いので習熟に多くの手間と時間を必要とする。
【０００７】
一方において、装置の小型軽量化，装置コストや運用コストの低減化要請が一段と強まっている。記憶手段（ＨＤＤ，ＦＤＤ，ＲＯＭ等々）の小容量化やソフトウェアに関する使用者側の取扱い容易化も例外ではない。
【０００８】
【発明が解決しようとする課題】
かくして、従来は、記憶手段（例えば、ＨＤＤ３５）の記憶容量が制約されるのに反して、商品販売データ処理に関する教育用プログラムおよびそのデータベース並びに実際用の商品販売データ処理プログラムおよびそのデータベースの各データ量が増大傾向にあることから、最初からＨＤＤ３５に格納されたあるいは最初にインストールされた教育用プログラムおよびそのデータベースを利用して取扱い上および運用上の教育をした後に、技術専門要員（主に、製作者）によって実際用の商品販売データ処理プログラムおよびそのデータベースに入れ替えしているのが実状である。
【０００９】
しかし、この商品販売データ処理プログラムのプログラム切替え方法によると、人件費が嵩むばかりか、時間的損失も大きく開店に間に合わないという事態も発生し得る。輸出品の場合には、一段とそのリスクが大きい。
【００１０】
本発明の目的は、教育用と実際用のプログラムを迅速かつ正確に切替えることができる小型軽量で低コストの商品販売データ処理装置およびそのプログラムの切替え方法を提供することにある。また、その切替えプログラムを記憶したコンピュータで読取可能な記憶媒体を提供することにある。
【００１１】
【課題を解決するための手段】
請求項１の発明は、複数の端末と各端末を一元的に管理する上位機とをデータ通信可能に接続してなる商品販売データ処理装置において、コンピュータからなる前記上位機内の記憶手段に商品販売データ処理に関する教育用プログラムおよびそのデータベースが記憶されるとともに、記憶手段内でかつ教育用プログラムを実行した場合に影響を受けない記憶エリアに実際用の商品販売データ処理プログラムおよびそのデータベースが圧縮状態で記憶され、教育用プログラムおよびそのデータベースを削除した後に商品販売データ処理プログラムおよびそのデータベースをその圧縮状態を解きつつ記憶手段の削除前に教育用プログラムおよびそのデータベースが記憶されていた記憶エリアに復元記憶可能に形成した商品販売データ処理装置である。
【００１２】
かかる発明では、教育に関しては、記憶手段に最初から記憶されている教育用プログラムおよびそのデータベースを用いて商品販売データ処理の運用や取扱い上の教育を行える。これを実行した場合に、その実行に影響を受けない記憶エリアには、実際用の商品販売データ処理プログラムおよびそのデータベースが圧縮状態で記憶されている。
【００１３】
教育期間終了後に、例えば切替えプログラムを起動させることにより、教育用プログラムおよびそのデータベースを削除すると、当該記憶エリアに影響を受けない記憶エリアに圧縮状態で記憶されていた実際用の商品販売データ処理プログラムおよびそのデータベースが解凍されつつ復元記憶される。復元記憶された商品販売データ処理プログラムおよびそのデータベースを用いれば、直ちに実際の商品販売データ処理を行える。
【００１４】
したがって、記憶手段の記憶容量を例えば２倍にすることなく教育用と実際用との双方プログラムを記憶させておくことができるとともに、装置組立後の教育用プログラムおよびそのデータベースのインストールや教育終了後の教育用のアンインストールおよび実際用の商品販売データ処理プログラムおよびそのデータベースのインストールをする必要がないので、教育用と実際用のプログラムを迅速かつ正確に切替えることができ、小型軽量かつ低コストである。
【００１５】
また、請求項２の発明は、前記商品販売データ処理プログラムの一部が前記教育用プログラムの一部を兼用可能に形成されている商品販売データ処理装置である。
【００１６】
かかる発明では、実際用の商品販売データ処理プログラムの一部が教育用プログラムの一部を兼用可能とされているので、圧縮状態で記憶する商品販売処理プログラムのデータ分量をより少くすることができる。したがって、請求項１の発明の場合と同様な作用効果を奏することができることに加え、さらに記憶手段の一層の小容量化および迅速切替えを行える。
【００１７】
また、請求項３の発明は、前記圧縮状態の商品販売データ処理プログラムおよびそのデータベースには前記端末用の商品販売データ処理プログラムおよびそのデータベースが含まれるものとされかつ前記上位機の前記復元記憶後に端末用の商品販売データ処理プログラムおよびそのデータベースを各端末にダウンロード可能に形成されている商品販売データ処理装置である。
【００１８】
かかる発明では、商品販売データ処理プログラムおよびそのデータベースの復元記憶後に、当該プログラムおよびそのデータベースとともに圧縮状態で記憶されていた各端末用の商品販売データ処理プログラムおよびそのデータベースを、圧縮状態のままあるいは解凍しつつ、各端末へダウンロードすることができる。
【００１９】
したがって、請求項１および請求項２の発明の場合と同様な作用効果を奏することができることに加え、さらに教育用と実際用との切替えに関する上位機と各端末との整合性を向上できる。
【００２０】
さらに、請求項４の発明は、データ通信可能に接続された複数の端末と上位機との間で商品販売データ処理を行う商品販売データ処理プログラムの切替え方法であって、記憶手段内の第１記憶エリアに商品販売データ処理に関する教育用プログラムおよびそのデータベースを記憶させておきかつ第２記憶エリアに実際用の商品販売データ処理プログラムおよびそのデータベースを圧縮状態で記憶させておき、第２記憶エリアに影響を与えないでかつ教育用プログラムおよびそのデータベースを起動して教育用商品販売データ処理を実行した後に、教育用プログラムおよびそのデータベースを削除し、しかる後に実際用の商品販売データ処理プログラムおよびそのデータベースの圧縮状態を解いて第１の記憶エリアに復元記憶してプログラムを切替える商品販売データ処理プログラムの切替え方法である。
【００２１】
かかる発明では、記憶手段の第１記憶エリアに記憶されていた教育用プログラムおよびそのデータベースを用いて上位機についての教育を行う。教育後に教育用プログラムおよびそのデータベースを削除し、それらが記憶されていた第１記憶エリアにそれまで第２記憶エリアに圧縮状態で記憶されていた実際用の商品販売データ処理プログラムおよびそのデータベースを解凍しつつ復元記憶して教育用と実際用とを切替える。
【００２２】
したがって、記憶手段の記憶容量を例えば２倍にすることなく教育用と実際用とを記憶させておくことができるとともに、装置組立後の教育用プログラムおよびそのデータベースのインストールや教育終了後の教育用のアンインストールおよび実際用の商品販売データ処理プログラムおよびそのデータベースのインストールをする必要がないので、教育用と実際用のプログラムを迅速かつ正確に切替えることができる。
【００２３】
さらにまた、請求項５の発明は、データ通信可能に接続された複数の端末と上位機との間で商品販売データ処理を行う商品販売データ処理プログラムの切替えプログラムを記憶したコンピュータで読取可能な記憶媒体であって、前記切替えプログラムがコンピュータに、記憶手段内の第１記憶エリアに記憶されている前記商品販売データ処理に関する教育用プログラムおよびそのデータベースをその実行後の指令に基き削除させるとともに、記憶手段内の第２記憶エリアに圧縮状態で記憶されている実際用の商品販売データ処理プログラムおよびそのデータベースの圧縮状態を解きつつ第１の記憶エリアに復元記憶させるものとされている商品販売データ処理プログラムの切替えプログラムを記憶したコンピュータで読取可能な記憶媒体である。
【００２４】
かかる発明では、記憶媒体に記憶された切替えプログラムを読取ったコンピュータは、記憶手段内の第１記憶エリアに記憶されていた教育用プログラムおよびそのデータベースをその実行後に削除し、それまで第２記憶エリアに圧縮状態で記憶されていた実際用の商品販売データ処理プログラムおよびそのデータベースを解凍しつつ空となった第１記憶エリアに復元記憶する。
【００２５】
したがって、この記憶媒体を用いれば、教育用と実際用のプログラムを迅速かつ正確に切替えることができるとともに、コンピュータの小型軽量・低コストや運用上のコストを軽減でき取扱いも容易である。
【００２６】
【発明の実施の形態】
本商品販売データ処理装置は、図１に示す如く、基本的構成（１０，３０，５０）を従来例（図４）の場合と同じとしながら、さらに上位機３０内の記憶手段〔３５（第１記憶エリアＡＲ１）〕に商品販売データ処理に関する教育用プログラム（ＰＲＧｅ）およびそのデータベース（ＤＢｅ）が記憶されかつこの教育用プログラムを実行した場合に影響を受けない記憶エリア（第２記憶エリアＡＲ２）に実際用の商品販売データ処理プログラム（ＰＲＧｒ）およびそのデータベース（ＤＢｒ）が圧縮状態で記憶され、上位機３０の教育後に教育用プログラムおよびそのデータベースを削除することにより、実際用の商品販売データ処理プログラムおよびそのデータベースを解凍しつつ記憶手段３５の当該第１記憶エリアＡＲ１に復元記憶可能に形成されている。
【００２７】
図１において、コンピュータからなる各端末１０Ａ〜１０Ｎは、ＣＰＵ１１，ＲＯＭ１２，ＲＡＭ１３，時計回路１４，ＨＤＤ１５，データ入力手段（スキャナ１６，キーボード１７），データ出力手段（表示器１８，プリンタ１９），自動開放型のドロワ２０およびデータ通信回線（ＬＡＮ）１用の通信回路２１を含み、商品登録機能，会計処理機能等を含む商品販売データ処理を実行することができる。
【００２８】
この各機能は、ＨＤＤ１５にインストール（記憶）されかつ必要によってＲＡＭ１３に展開された端末用の商品販売データ処理プログラム（ＰＲＧｔ）およびそのデータベース（ＤＢｔ）に基き実行される。このＰＲＧｔおよびＤＢｔは、上位機３０からダウンロード（図３のＳＴ２７）される。この点に関しては、詳細後記する。
【００２９】
上位機３０は、ＣＰＵ３１，ＲＯＭ３２，ＲＡＭ３３，時計回路３４，ＨＤＤ３５，データ入出力手段（キーボード３７，表示器３８），データ通信回線（ＬＡＮ）１用の通信回路４１およびホストコンピュータ５０（図１では省略）とつながるデータ通信回線（ＩＳＤＮ）２用の通信回路４２とを含むコンピュータからなり、各端末１０の一元的管理機能，上位機５０とのデータ通信を含む商品販売データ処理機能を有する。
【００３０】
ここに、ＨＤＤ３５は、本発明でかつこの実施形態でいう記憶手段を形成し、記憶エリアが大きな第１記憶エリアＡＲ１と小さな第２記憶エリアＡＲ２とを有するものとする。ＯＳ等の記憶エリアについての説明は省略する。
【００３１】
第１記憶エリアＡＲ１には、商品販売データ処理に関する教育用プログラム（ＰＲＧｅ）およびそのデータベース（ＤＢｅ）が記憶（格納）されている。対する第２記憶エリアＡＲ２には、実際用の商品販売データ処理プログラム（ＰＲＧｒ）およびそのデータベース（ＤＢｒ）が例えばＪＰＥＧ方式による圧縮状態で記憶（格納）されている。
【００３２】
ＰＲＧｅおよびＤＢｅのデータ分量Ｄｅは、解凍後のＰＲＧｒおよびＤＢｒのデータ分量Ｄｒと同等分量である。多くの場合は、Ｄｅ＞Ｄｒである。
【００３３】
すなわち、従来例によるＨＤＤ３５の記憶容量は、大きい方のＤｅ相当とされている。したがって、ＨＤＤ３５の小容量化のために当初に記憶させたＰＲＧｅおよびＤＢｅを教育終了後に削除（アンインストール）し、それに代って同等量のＰＲＧｒおよびＤＢｒに入れ替え（インストール）していたわけである。手間と時間が掛り、取扱いも難しい。
【００３４】
対して、本発明は、情報量を減らすことなくデータの分量だけを減らすデータ圧縮技術の進歩に着目しかつＰＲＧｅおよびＤＢｅの一部とＰＲＧｒおよびＤＢｒの一部とが同一（兼用可能）であることが多いこと等を勘案し、ＨＤＤ３５の記憶容量を圧縮状態記憶分量だけ微増するだけでＰＲＧｅおよびＤＢｅ並にＰＲＧｒおよびＤＢｒを当初から記憶（格納）可能に形成している。
【００３５】
なお、ＰＲＧｅおよびＤＢｅの一部とＰＲＧｒおよびＤＢｒの一部との同一性のある範囲が広い場合には、ＨＤＤ３５の記憶容量をＰＲＧｅおよびＤＢｅを記憶させるために必要な記憶容量とほとんど等しくすることができる。もとより、ＯＳ等の記憶容量は必要であるが、説明は省略する。
【００３６】
この実施形態では、以上の実施化のために、ＯＳ起動後に、キーボード３７を用いて教育運転モードを選択（図２のＳＴ１３のＹＥＳ）すると、ＨＤＤ３５内の第１記憶エリアＡＲ１にＰＲＧｅおよびＤＢｅが記憶（存在）されていることを条件に、教育運転状態となる（ＳＴ１４のＹＥＳ，ＳＴ１５）。この状態において、教育用プログラムＰＲＧｅおよびそのデータベースＤＢｅを起動させることにより、教育運転ができる。否（ＳＴ１４のＮＯ）の場合は、エラー処理（ＳＴ１６）される。
【００３７】
第２記憶エリアＡＲ２およびこれに格納された圧縮状態のＰＲＧｒおよびＤＢｒは、ＰＲＧｅおよびＤＢｅの実行による影響（データ改変等）を受けることがない。
【００３８】
ＰＲＧｅおよびＤＢｅを利用した教育運転期間の終了後（それ以前でもよい）に、両商品販売データ処理プログラム（ＰＲＧｅ，ＰＲＧｒ）を切替えるための切替えプログラムＰＲＧｃをインストールすることができる。
【００３９】
すなわち、キーボード３７を用いてＰＲＧｃ読込モードを選択（図２のＳＴ１０のＹＥＳ）すると、ＣＰＵ３１が光磁気ディスクドライブ（ＭＯＤ）３６を介して、それに挿入された光磁気ディスク（ＭＯ）３６Ｍに記憶されている切替えプログラムＰＲＧｃを読込み（ＳＴ１１）、例えばＲＡＭ３３のワークエリアに記憶する。つまり、ＰＲＧｃの実行可能状態となる（ＳＴ１２）。
【００４０】
この切替えプログラムＰＲＧｃを記憶したコンピュータ（３０）で読取可能な記憶媒体は、上記ＭＯ３６Ｍに限定されず、例えばＲＯＭ，フロッピーディスク（ＦＤ），Ｚｉｐディスク，ＤＶＤ，磁気テープ等々であってもよい。さらに、この切替えプログラムＰＲＧｃを交換可能な内蔵ＨＤＤ（３５）に予め圧縮状態であるいはそのデータ分量のままで記憶させておく場合には、このＨＤＤ（３５）も記憶媒体となる。
【００４１】
ここにおいて、記憶媒体（ＭＯ３６Ｍ）に記憶されている切替えプログラムＰＲＧｃは、図３に示すもの（ＳＴ２０〜ＳＴ２８）とされ、コンピュータ〔３０（３１，３２）〕によってＭＯＤ３６から読込まれる。読込まれたＰＲＧｃ（およびそのデータベースＤＢｃ）は、ＣＰＵ３１とＲＯＭ３２に格納されたプログラムによって、ＲＡＭ３３および／またはＨＤＤ３５の記憶エリアＡＲ１，ＡＲ２を除く他のエリアに記憶される。
【００４２】
つまり、キーボード３７を用いたＰＲＧｃ読込モードが選択（ＳＴ１０のＹＥＳ）された場合に、コンピュータ（ＣＰＵ３１）が、ＲＯＭ３２に格納されあるいはＨＤＤ３５からＲＡＭ３３に展開されたプログラムに基き、記憶媒体（３６Ｍ）から切替えプログラムＰＲＧｃを読込む（ＳＴ１１）。そして、切替えプログラムＰＲＧｃの実行可能状態とする（ＳＴ１２）。
【００４３】
かくして、第１記憶エリアＡＲ１に記憶された教育用プログラム（ＰＲＧｅ）およびそのデータベース（ＤＢｅ）を用いた教育が終了した後の適時に、キーボード３７を用いてＰＲＧの切替え宣言（図３のＳＴ２０のＹＥＳ）をすると、つまり指令に基き、切替えプログラムＰＲＧｃに従ってコンピュータ（３１）はＰＲＧｅおよびそのデータベースＤＢｅを削除（ＳＴ２１）することができる。
【００４４】
なお、上記切替え宣言つまり教育用の実行後の指令は、キーボード３７を用いず自動的に発生されるように形成してもよい。例えば、教育最終データが確立された場合に信号を自動発生するようにする。
【００４５】
Ｄｅ＞ＤｒでかつＰＲＧｅの一部とＰＲＧｒの一部とが同一（兼用可能）な場合には、これを除く他の部分を削除（消去）すればよい。さらに、ＰＲＧｒおよびＤＢｒがオーバーライト方式により記憶されるように構築された場合は、必ずしも電子的にかつ具体的に消去しなくともよい。
【００４６】
さて、ＰＲＧｅとそのＤＢｅとを削除（ＳＴ２１）した後に、コンピュータ（３１）は、第２記憶エリアＡＲ２に圧縮状態で記憶されていた実際用の商品販売データ処理プログラム（ＰＲＧｒ）およびそのデータベース（ＤＢｒ）を解凍（ＳＴ２２）しつつそれまでＰＲＧｅおよびＤＢｅが記憶されていた第１記憶エリアＡＲ１に復元記憶（ＳＴ２３）する。その全て（ＳＴ２４のＹＥＳ）についてリライトする。
【００４７】
この解凍処理プログラムは、ＲＯＭ３２に格納されている。但し、ＰＲＧｒおよびＤＢｒとともに第２記憶エリアＡＲ２に記憶させておいてもよい。
【００４８】
さらに、第２記憶エリアＡＲ２には、各端末１０用の商品販売データ処理プログラム（ＰＲＧｔ）およびそのデータベース（ＤＢｔ）が記憶されている。したがって、コンピュータ（３１）は、キーボード３７を用いたダウンロード（ＤＤＬ）要求がある（ＳＴ２５のＹＥＳ）と、第２記憶エリアＡＲ２に圧縮状態で記憶されていたＰＲＧｔおよびＤＢｔを読込み（ＳＴ２６）つつ、データ通信回線１を介して各端末１０にダウンロード（ＤＤＬ）する（ＳＴ２７）ことができる。全ての端末（ＴＭ）１０について行う（ＳＴ２８のＹＥＳ）。なお、このＰＲＧｔおよびＤＢｔを解凍〔ＳＴ２６で（  ）書き〕した後にダウンロードするように形成してもよい。
【００４９】
すなわち、事前にあるいは教育終了後に、コンピュータ（３１）に記憶媒体（３６Ｍ）に記憶された切替えプログラム（ＰＲＧｃ）を読取（読込み）させ（図２のＳＴ１０〜ＳＴ１２）、しかる後にキーボード３７を用いて切替え選択（図３のＳＴ２０）をするだけで、教育用（ＰＲＧｅ，ＤＢｅ）から実際用の商品販売データ処理プログラムＰＲＧｅおよびそのデータベースＤＢｅに迅速かつ正確に、しかも自動的に切替えることができる。取扱いが極めて容易である。
【００５０】
その後に、キーボード３７を用いて実際運転モードを選択（図２のＳＴ１７のＹＥＳ）すれば、ＨＤＤ３５の第１記憶エリアＡＲ１にＰＲＧｒおよびＤＢｒが存在する（ＳＴ１８のＹＥＳ）ので、実際運転状態となる（ＳＴ１９）。
【００５１】
かくして、コンピュータ（３０）を店舗に設置した後に、教育用プログラムＰＲＧｅおよびそのデータベースＤＢｅをその場でインストールすることや、教育終了後にＰＲＧｅおよびＤＢｅを削除（アンインストール）したり、さらにその後に実際用の商品販売データ処理プログラムＰＲＧｒおよびそのデータベースＤＢｒをインストールする従来例の手間と時間を一掃化できるから業務能率を大幅に向上できるとともに、記憶手段（ＨＤＤ３５）の記憶容量を従来例の場合に比較して過大化する必要もなくコンピュータ（３０）全体の小型軽量化および低コスト化を図れる。しかも、キーボード３７を用いた操作でよいから、取扱い簡単で使用者側でも行える。
【００５２】
また、各端末１０用の商品販売データ処理プログラムＰＲＧｔおよびそのデータベースＤＢｔも圧縮状態のままダウンロードできるので、上位機３０と各端末１０との教育用と実際用の切替え整合性を向上できる。さらに、切替えプログラムＰＲＧｃ自体もＰＲＧｒおよびＤＢｒとともに第２記憶エリアＡＲ２に圧縮状態で記憶させておけば、取扱いが一段と容易になる。
【００５３】
また、記憶媒体がＯＭ３６Ｍから形成されているので、安価で取扱い容易である。
【００５４】
【発明の効果】
請求項１の発明によれば、コンピュータからなる上位機内の記憶手段に商品販売データ処理に関する教育用プログラムおよびそのデータベースが記憶されるとともに、記憶手段内でかつ教育用プログラムを実行した場合に影響を受けない記憶エリアに実際用の商品販売データ処理プログラムおよびそのデータベースが圧縮状態で記憶され、教育用を削除した後に実際用をその圧縮状態を解きつつ記憶手段の削除前に教育用が記憶されていた記憶エリアに復元記憶可能に形成されているので、記憶手段の記憶容量を例えば２倍にすることなく教育用と実際用との双方プログラムを記憶させておくことができるとともに、装置組立後の教育用のインストールや教育終了後の教育用のアンインストールおよび実際用のインストールをする必要がない。よって、教育用と実際用のプログラムを迅速かつ正確に切替えることができ、小型軽量かつ低コストである。
【００５５】
また、請求項２の発明によれば、商品販売データ処理プログラムの一部が教育用プログラムの一部を兼用可能に形成されているので、請求項１の発明の場合と同様な効果を奏することができることに加え、さらに記憶手段の一層の小容量化および迅速切替えを行える。
【００５６】
また、請求項３の発明によれば、圧縮状態の商品販売データ処理プログラムおよびそのデータベースには端末用の商品販売データ処理プログラムおよびそのデータベースが含まれるものとされかつ上位機の復元記憶後に端末用の商品販売データ処理プログラムおよびそのデータベースを各端末にダウンロード可能に形成されているので、請求項１および請求項２の発明の場合と同様な効果を奏することができることに加え、さらに教育用と実際用との切替えに関する上位機と各端末との整合性を向上できる。
【００５７】
さらに、請求項４の発明によれば、記憶手段内の第１記憶エリアに教育用を記憶させておきかつ第２記憶エリアに実際用を圧縮状態で記憶させておき、第２記憶エリアに影響を与えないでかつ教育用を起動して教育用商品販売データ処理を実行した後に教育用を削除し、しかる後に実際用の圧縮状態を解いて第１の記憶エリアに復元記憶してプログラムを切替える商品販売データ処理プログラムの切替え方法であるので、記憶手段の記憶容量を例えば２倍にすることなく教育用と実際用とを記憶させておくことができるとともに、装置組立後の教育用のインストールや教育終了後の教育用のアンインストールおよび実際用のインストールをする必要がない。よって、教育用と実際用のプログラムを迅速かつ正確に切替えることができる。
【００５８】
さらにまた、請求項５の発明によれば、切替えプログラムがコンピュータに、記憶手段内の第１記憶エリアに記憶されている教育用をその実行後の指令に基き削除させるとともに、記憶手段内の第２記憶エリアに記憶されている実際用の圧縮状態を解きつつ第１の記憶エリアに復元記憶させるものとされている商品販売データ処理プログラムの切替えプログラムを記憶したコンピュータで読取可能な記憶媒体であるので、この記憶媒体を用いれば、教育用と実際用のプログラムを迅速かつ正確に切替えることができるとともに、コンピュータの小型軽量・低コストや運用上のコストを軽減でき、取扱いも容易である。
【図面の簡単な説明】
【図１】本発明の実施形態を示すブロック図である。
【図２】同じく、記憶媒体からの読取動作等を説明するためのフローチャートである。
【図３】同じく、プログラム切替え動作を説明するためのフローチャートである。
【図４】従来例を説明するための図である。
【符号の説明】
１０  端末
３０  上位機（コンピュータ）
３１  ＣＰＵ
３２  ＲＯＭ
３３  ＲＡＭ
３５  ＨＤＤ（記憶手段）
ＡＲ１  第１記憶エリア
ＡＲ２  第２記憶エリア
３６  ＭＯＤ
３７Ｍ  ＭＯ（記憶媒体）
ＰＲＧｅ  教育用プログラム
ＤＢｅ  教育用のデータベース
ＰＲＧｒ実際用の商品販売データ処理プログラム
ＤＢｒ  実際用のデータベース
ＰＲＧｃ  切替えプログラム
ＰＲＧｔ  端末用の商品販売データ処理プログラム
ＤＢｔ  端末用のデータベース
【図１】
0003618518.tif 000002
【図２】
0003618518.tif 000003
【図３】
0003618518.tif 000004
【図４】
0003618518.tif 000005